(57)【特許請求の範囲】
【請求項１】
便器の後部上面に取付けられる温水洗浄装置の装置ケース内一端部が吸い込み口となり他端部が吹き出し口となり且つ内部にヒータを内装した風路を形成し、該風路の他端部の吹き出し口を装置ケースの側面部に開口し、風路の吹き出し口からヒータに至る部分を屈曲させて屈曲風路とし、ヒータを屈曲風路の下面よりも上方に位置させ、風路を横切るように出し入れ自在なフィルタを設け、装置ケースの側面部の吹き出し枠取付け用開口に、吹き出し口に設けた吹き出し枠を取付け、吹き出し枠の外面を装置ケースの吹き出し枠取付け用開口の外面と面一とし、吹き出し枠の下部にフィルタを引出自在とするフィルタ引出用開口部を設け、フィルタ引出用開口部から挿入したフィルタが風路を横切るように差し込まれた状態でフィルタの端部に設けた取り出し用突起の外端面が吹き出し枠の外面と面一となり、且つ、取り出し用突起の周部の一部に指掛け用凹所を形成して成ることを特徴とする暖房機能付き温水洗浄装置。
【請求項２】
装置ケースの下面に上向き凹部を形成し、該上向き凹部の一部に吸い込み口を設け、便器に設けた収納空所部にトラップ部を配置したケース本体を内装し、該上向き凹部の下方開口を収納空所部の上方の開口部に連通させ、且つ、上向き凹部の側方開口を外部に連通させてあることを特徴とする請求項１記載の暖房機能付き温水洗浄装置。
【発明の詳細な説明】
【０００１】
【発明の属する技術分野】
本発明は、暖房機能付き温水洗浄装置に関するものである。
【０００２】
【従来の技術】
従来から便器の後部上面に取付けられる温水洗浄装置の装置ケース内に一端部が吸い込み口となり他端部が吹き出し口となり且つ内部にヒータを内装した風路を形成し、該風路の他端部の吹き出し口を装置ケースの側面部に開口するものが知られている。そして、装置ケースの内部に設けたファンを駆動し、ヒータをオンとすることで、吸い込み口から風路内に吸い込んだ空気ヒータで加温して温風とし、吹き出し口から吹き出してトイレ内を暖房するようにしている。
【０００３】
ところが、上記の従来例にあっては、手洗い水が飛散した場合、吹き出し口から内部に水が入って、ヒータを濡らしたり、あるいは、装置ケースを水で拭いて掃除をしたりしているときに吹き出し口から内部に水が入ってヒータを濡らしたり、あるいは、吹き出し口から入った水が噴き出し口内の下面を伝ってヒータに至ってヒータを濡らしたりし、このようにヒータが水で濡れることで電気的トラブルの原因になっていた。
【０００４】
また、風路内に埃や、トイレットペーパの小片屑等の屑、あるいは虫等が吸い込まれないようにフィルタを着脱自在に取付けることが考えられるが、フィルタを着脱自在に取付けるために、装置ケースに吹き出し口を設ける部分とは別にフィルタ出し入れ部を設ける必要があって、外観が悪く、また、フィルタの端部に設ける指で摘むための取り出し用突起が装置ケースの外面よりも突出してこの点でも外観が悪く、また、外部に突出した取り出し用突起に他の物が当たって破損しやすいという問題がある。
【０００５】
また、従来、吸い込み口が装置ケースの側面に大きく開口して形成してあり、この点でも外観が悪いという問題があった。
【０００６】
【発明が解決しようとする課題】
本発明は上記の点に鑑みてなされたものであり、吹き出し口から水が浸入してもヒータに水が浸入して電気的トラブルを生じるのを防止でき、また、フィルタを引出自在に取付けるに当たって、取り出し用突起が目立ちにくく且つ他物に当たって破損したりせず、更にフィルタの引出しが簡単にできる暖房機能付き温水洗浄装置を提供することを課題とするものである。
【０００７】
【課題を解決するための手段】
上記課題を解決するために本発明に係る暖房機能付き温水洗浄装置は、便器１の後部上面に取付けられる温水洗浄装置の装置ケース３内の一端部が吸い込み口５０となり他端部が吹き出し口５１となり且つ内部にヒータ５３を内装した風路５２を形成し、該風路５２の他端部の吹き出し口５１を装置ケース３の側面部に開口し、風路５２の吹き出し口５１からヒータ５３に至る部分を屈曲させて屈曲風路５２ａとし、ヒータ５３を屈曲風路５２ａの下面よりも上方に位置させ、風路５２を横切るように出し入れ自在なフィルタ５４を設け、装置ケース３の側面部の吹き出し枠取付け用開口５５に、吹き出し口５１に設けた吹き出し枠５６を取付け、吹き出し枠５６の外面を装置ケース３の吹き出し枠取付け用開口５５の外面と面一とし、吹き出し枠５６の下部にフィルタ５４を引出自在とするフィルタ引出用開口部５７を設け、フィルタ引出用開口部５７から挿入したフィルタ５４が風路５２を横切るように差し込まれた状態でフィルタ５４の端部に設けた取り出し用突起５８の外端面が吹き出し枠５６の外面と面一となり、且つ、取り出し用突起５８の周部の一部に指掛け用凹所５９を形成して成ることを特徴とするものである。このような構成とすることで、手洗い水が飛散した場合や装置ケースを水で拭いて掃除をしたりしているときに吹き出し口から水が内部に飛散したとしても、風路５２の吹き出し口５１からヒータ５３に至る部分に形成された屈曲風路５２ａの存在により、吹き出し口５１から内部に飛散して入った水がヒータ５３に至らないようにできるものであり、また、吹き出し口５１から入った水が屈曲風路５２ａの下面部に沿って奥に流れても、ヒータ５３を屈曲風路５２ａの下面よりも上方に位置させてあることで、ヒータ５３に水が浸入しないようにできるものである。また、フィルタ５４を外部に引き出すための操作部である取り出し用突起５８の外端面が、装置ケース３の外面と面一となった吹き出し枠５６の外面と面一となり、これにより外観が良くなるとともに取り出し用突起５８が外部に突出せずに他の物が当たることがなく、また、取り出し用突起５８の外端面を吹き出し枠５６の外面と面一としたにもかかわらず、取り出し用突起５８の周部の一部に指掛け用凹所５９を形成してあることで、指掛け用凹所５９に指を引っ掛けて引くことで簡単にフィルタ５４を引き出すことができ、また、吹き出し枠５６にフィルタ引出用開口部５７を設けることで、装置ケース３に別途フィルタ５４を出し入れ自在とするための開口部を設ける必要がないものである。
【０００９】
また、装置ケース３の下面に上向き凹部６９を形成し、該上向き凹部６９の一部に吸い込み口５０を設け、便器１に設けた収納空所部１１にトラップ部１６を配置したケース本体１２を内装し、該上向き凹部６９の下方開口６９ａを収納空所部１１の上方の開口部２に連通させ、且つ、上向き凹部６９の側方開口９６ｂを外部に連通させることが好ましい。このような構成とすることで、ケース本体２を内装している収納空所部１１内の空気が開口部２、上向き凹部６９の下方開口６９ａから上向き凹部６９内に流れるとともに、側方開口６９ｂから外部の空気が上向き凹部６９内に流れ、更に、吸い込み口５０から風路５２内に流れ、ヒータ５３により加温され、暖かい空気として吹き出し口５１から外に吹き出してトイレ内を暖房するのであり、仮に、使用者が誤って側方開口６９ｂを塞いだとしても、ケース本体１２を内装している収納空所部１１内の空気を吸い込んで加温できるので、温風の発生に当たって十分な空気量を確保できるものであり、また、下方開口６９ａと側方開口６９ｂの両方から空気を吸い込むので、側方開口６９ｂのみを設ける場合に比べて側方開口６９ｂの大きさを小さくできるとともに、側方開口６９ｂは便器１の上面と装置ケース３の下面との間に細長く形成されるので、外部から目立ちにくくて外観が良くなるものである。
【００１０】
【発明の実施の形態】
以下、本発明を添付図面に示す実施形態に基づいて説明する。
【００１１】
図１、図２には便器１が示してある。便器１は陶器製で便器１内には上方が開口９０となったボウル２１が形成してあり、さらに便器１の後部の内部には収納空所部１１が設けてあり、便器１の後部の上面が開口していて開口部２となっており、この開口部２が収納空所部１１の上方の開口となっており、収納空所部１１内には上方の開口部２から内部にケース本体１２が内装してある。ケース本体１２の前壁には取付け孔１３が設けてあり、取付け孔１３に回動且つ上下反転自在なトラップ部１６が挿入して取付けてあり、トラップ部１６の大部分がケース本体１２内に配置されると共にトラップ部１６の前端部の接続部１４がケース本体１２から外部に突出している。このトラップ部１６の接続部１４をボウル２１の後端部に形成したボウル排水口１５にはめ込んで接続してある。
【００１２】
ケース本体１２内に配置したトラップ部１６はトラップ駆動手段によりトラップ部１６の自由端とした後端が上下方向に反転自在に回動されるようになっている。添付図面に示す実施形態ではトラップ部１６は軟質の材料で形成し且つ蛇腹状をしており、ケース本体１２に回動自在に取付けた回動体１７はトラップ部１６の後端部に連結してあり、また、回動体１７はケース本体１２の外部に配設したトラップ駆動手段を構成するモータにより回動するように連結してある。したがって、モータを一方向に回転するとトラップ部１６の自由端とした後端が上向きとなるように回動し、上記と逆にモータを回転するとトラップ部１６の自由端とした後端が下向きとなるように回動する。
【００１３】
ケース本体１２の下部には排出孔１８が設けてあり、排出孔１８に外部排水管１９が接続される。したがって、ボウル２１のボウル排出口２０、トラップ部１６ケース本体１２、外部排水管１９によりボウル２１から延びる排水路２０が構成してある。
【００１４】
便器１の後部上面には温水洗浄装置や、温風発生装置６０等の諸装置を内装する装置ケース３が取付けてある。この装置ケース３内にボウル２１に給水するための給水路２２が配置してあり、この給水路２２は先端部が便器１のボウル２１の上端開口縁部に形成された通水用のリム部に連通し、他端部が水道管に接続されるものである。給水路２２の途中には給水路２２を開閉するための給水電磁弁よりなる給水手段２３が設けてある。
【００１５】
装置ケース３には便座２４、便蓋２５が回動自在に取付けてあり、また、装置ケース３には温水洗浄装置が内装してあり、おしり洗浄ノズル、ビデ洗浄ノズルを設けてあって、おしり洗浄、ビデ洗浄ができるようになっている。また、装置ケース３には後述により詳細に説明する温風発生装置６０が内装してあり、便器１内や便器１外から吸い込んだ空気をヒータで加温して温風として装置ケース３に設けた外部に吐風口２６から吹き出してトイレ室内を加温することができるようになっている。
【００１６】
装置ケース３は合成樹脂製のケース底板３ａとケース底板３ａに取付けられる合成樹脂製のカバー体３ｂとで構成してある。図８乃至図１０にはケース底板３ａが示してあり、ケース底板３ａの下面部の後部に係止部４が突設してある。そして、装置ケース３の下面部の後部の係止部４を便器１の後部上面に設けた開口部２の後端縁部に係合し、装置ケース３の前部両側を便器１の後部上面に設けた開口部２の前端縁部の両側付近に取り付けた連結金具に固着具で固着することで装置ケース３を便器１の後部上面に取付ける共に、装置ケース３により便器１の後部内に形成した収納空所部１１の上方の開口部２を隠して外部から見えないようにしている。
【００１７】
ケース底板３ａの上面側には温水洗浄装置（図示せず）や温風発生装置６０が設けられるが、以下ケース底板３ａに温風発生装置６０を設けることにつき詳細に説明する。ケース底板３ａにはケース底板３ａと一体に立ち上がり筒部６１が設けてあり、立ち上がり筒部６１の下面部に吸い込み口５０が形成してある。この立ち上がり筒部６１内にはファン７９が内装され、立ち上がり筒部６１の上端部は閉塞板で閉塞される。立ち上がり筒部６１の一側壁（実施形態では後面壁）の上部に開口が形成してあり、この開口にダクト６２の一端部がはめ込んで連通接続してあり、立ち上がり筒部６１とダクト６２とで温風発生装置６０の風路５２が構成されるものである。ダクト６２はケース底板３ａに固着具により固着される。
【００１８】
ダクト６２は図１２に示すように一端部がヒータ５３を収納するヒータ収納部６３となり、他端が吹き出し口５１となったもので、吹き出し口５１からヒータ収納部６３に至る部分を屈曲させて屈曲風路５２ａとしてある。図１２に示す実施形態では屈曲流路５２ａに３箇所の略直角に曲がるコーナ部６４が形成してあるが、屈曲流路５２ａのコーナ部６４の数は図１２の実施形態のものにのみ限定されないものであり、要は飛散した水が吹き出し口５１から内部に浸入した際にヒータ収納部６３内のヒータ５３を濡らさないようになっておればよく、このため吹き出し口５１から内部を見た場合にヒータ５３が見えないように吹き出し口５１からヒータ収納部６３に至る部分が屈曲していればよく、このようにすることで飛散した水が吹き出し口５１から内部に浸入してもヒータ５３に直接かかることがないものである。
【００１９】
また、ヒータ収納部６３の下面Ａは図１６に示すように屈曲流路５２ａの下面Ｂよりも上方に位置させてあり、吹き出し口５１から内部に浸入した水が屈曲風路５２ａの下面部に沿って奥に流れても、屈曲風路５２ａの下面よりも上方に位置しているヒータ収納部６３に内装したヒータ５３に水が浸入しないようようになっている。
【００２０】
風路５２の吹き出し口５１には吹き出し枠５６が取付けられる。図５、図１１に示すように吹き出し枠５６には複数のルーバ片５６ａが形成してあり、吹き出し枠５６は巾方向の片側半分が温風吹き出し用枠部５６ｂ、巾方向の他の片側半分が脱臭空気吹き出し用枠部５６ｃとなっており、温風吹き出し用枠部５６ｂの背面部周囲に嵌め込み枠部５６ｄが形成してあり、また、温風吹き出し用枠部５６ｂの下部にフィルタ引出用開口部５７が形成してある。吹き出し枠５６の温風吹き出し用枠部５６ｂ側の側端部には背方に向けて固定片５６ｅが突設してあり、固定片５６ｅにＵ字状溝５６ｆが形成してある。また、吹き出し枠５６の脱臭空気吹き出し用枠部５６ｃ側の側端部には背方に向けて当て片５６ｇが突設してある。吹き出し枠５６の外面の周囲部には外面よりもカバー体３ｂの側片の肉厚寸法と同じ寸法後方にずれて外周鍔部５６ｈが周設してある。
【００２１】
ケース底板３ａの上面部のダクト６２近傍には吹き出し枠固定部６５が設けてあり、ダクト６２の先端部の吹き出し口５１に吹き出し枠５６の嵌め込み枠部５６ｄを嵌め込み、固定片５６ｅを吹き出し枠固定部６５に載置した状態でＵ字状溝５６ｆからねじ具６６を挿入して吹き出し枠固定部６５に固着してある（図１２参照）。このように、吹き出し枠固定部６５の一側部をねじ具６６により固着した状態で、ケース底板３ａにカバー体３ｂを被せて取付けるのであるが、この際、カバー体３ｂの側面部の形成した吹き出し枠取付け用開口５５に吹き出し枠５６の外面部の外周鍔部５６ｈよりも前方に突出した部分が嵌まり込み、吹き出し枠５６の外面がカバー体３ｂの側面とほぼ面一となるものである。ここで、吹き出し枠５６の脱臭空気吹き出し用枠部５６ｃ側の側端部に設けた当て片５６ｇが装置ケース３内の当たり部７８に当たって位置決めされるようになっている。
【００２２】
なお、装置ケース３内には図示を省略しているが、一端部が便器１のボウル２１側に開口し且つ他端部が脱臭空気吹き出し用枠部５６ｃに対応する脱臭路が内装され、脱臭路内にはファン、脱臭剤が内装され、ボウル２１内の臭気を吸い込んで脱臭剤で脱臭し、脱臭済みの空気を脱臭空気吹き出し用枠部５６ｃから装置ケース３の外に排出するようになっている。
【００２３】
立ち上がり筒部６１の下面部に設けた吸い込み口５０の内面にはフィルタ支持部６７が設けてあり、更に、この吸い込み口５０に設けたフィルタ支持部６７から吹き出し口５１に取付けた吹き出し枠５６の下部に設けたフィルタ引出用開口部５７に至るようにダクト６２の下面とケース底板３ａの上面とにフィルタガイド６８が設けてある。フィルタ５４の端部には取り出し用突起５８が設けてあり、取り出し用突起５８の周部の一部に指掛け用凹所５９を形成してある。そして、フィルタ引出用開口部５７から端部フィルタ５４を差し込んで、フィルタガイド６８でガイドしながらフィルタ支持部６７に至ってフィルタ支持部６７で支持された状態でフィルタ５４が風路５２の端部の吸い込み口５０を横切るように取付けることができるものである。そして、上記のように、フィルタ引出用開口部５７から挿入したフィルタ５４が風路５２を横切るように差し込まれた状態で図１５に示すようにフィルタ５４の端部に設けた取り出し用突起５８の外端面が吹き出し枠５６の外面と面一となるように設定してある。このように、フィルタ５４の端部に設けた取り出し用突起５８の外端面を装置ケース３の外面と面一となった吹き出し枠５６の外面と面一とすることで、外観が良くなり、また、取り出し用突起５８が外部に突出せずに他の物が当たって取り出し用突起５８が破損することがないものである。また、上記のように取り出し用突起５８の外端面を吹き出し枠５６の外面と面一としたにもかかわらず、取り出し用突起５８の周部の一部に指掛け用凹所５９を形成しており、この指掛け用凹所５９に指を引っ掛けて引くことで簡単にフィルタ５４を引き出すことができるものである。
【００２４】
装置ケース３の下面を構成するケース底板３ａの下面には図１３、図１４のように下方及び側方に開口する上向き凹部６９が設けてあり、この上向き凹部６９の一部が立ち上がり筒部６１の下面部に設けた吸い込み口５０に連通している。そして、装置ケース３を便器１の後部上面に取付けた状態で、便器１と装置ケース３の下面との間に上向き凹部６９により隙間が形成され、この隙間が下面側においては便器１の後部上面に設けた開口部２に連通し、側端側においては装置ケース３の下面と便器１の上面との間から装置ケース３の外部に連通している。つまり、上記隙間を形成するための上向き凹部６９の下方開口６９ａの一部がケース本体１２を内装している収納空所部１１の上方の開口部２に連通し、また、上向き凹部６９の側方開口６９ｂが外部に連通しているものである。
【００２５】
しかして、ファン７９を運転し、ヒータ５３に通電すると、ケース本体１２を内装している収納空所部１１内の空気が図１３、図１４の矢印のように開口部２、上向き凹部６９の下方開口６９ａから上向き凹部６９内に流れるとともに、側方開口６９ｂから外部の空気が上向き凹部６９内に流れ、更に、吸い込み口５０から風路５２内に流れ、ヒータ５３により加温され、暖かい空気として吹き出し口５１から外に吹き出してトイレ内を暖房するのである。ここで、仮に、使用者が誤って側方開口６９ｂを塞いだとしても、ケース本体１２を内装している収納空所部１１内の空気を吸い込んで加温できるので、温風の発生に当たって十分な空気量を確保できるものである。また、下方開口６９ａと側方開口６９ｂの両方から空気を吸い込むので、側方開口のみを設ける場合に比べて側方開口６９ｂの大きさを小さくできるとともに、側方開口６９ｂは便器１の上面と装置ケース３の下面との間に細長く形成されるので、外部から目立ちにくくて外観が良くなるものである。
【００２６】
次に、本発明の便器１の使用に当たっての動作につき説明する。初期状態ではトラップ部１６の後端部は図２のように上向きとなっていてボウル２１内及びトラップ部１６内には水４５が溜まっているので、この状態で大便や小便等の用便を行い、用便が終了した後、装置ケース３に内装した温水洗浄装置を動作させて人体の局部の洗浄を行う。このように温水洗浄装置により人体の局部の洗浄を行った後、洗浄スイッチ（図示せず）を操作する。洗浄スイッチを操作して洗浄スイッチのオン信号が制御部（図示せず）に入力されると、給水手段（図示せず）が開になり、水が給水路２２からリム部を介して図３の矢印のようにボウル２１に供給される。給水手段２３のオンから数秒（例えば約６〜８秒）後にトラップ駆動手段が駆動してトラップ部１６を後端が下向きとなるように反転駆動する（図３→図４）。このようにトラップ部１６の後端が下向きとなるように反転駆動し、更にトラップ部１６の後端が下向きとなったままの状態を数秒（例えば３秒程度）保持して図４のように排水を行う。排水が終わるとトラップ駆動手段が上記と逆に駆動してトラップ部１６の後端が上向きとなるように駆動し、その後、ボウル２１、トラップ部１６内に所定水量の水が溜まるまで給水を続け、所定水量の水が溜まると給水手段２３がオフとなるものである。
【００２７】
【発明の効果】
上記のように本発明の請求項１記載の発明にあっては、便器の後部上面に取付けられる温水洗浄装置の装置ケース内に一端部が吸い込み口となり他端部が吹き出し口となり且つ内部にヒータを内装した風路を形成し、該風路の他端部の吹き出し口を装置ケースの側面部に開口し、風路の吹き出し口からヒータに至る部分を屈曲させて屈曲風路とし、ヒータを屈曲風路の下面よりも上方に位置させてあるので、手洗い水が飛散した場合や装置ケースを水で拭いて掃除をしたりしているときに吹き出し口から水が内部に飛散したとしても、屈曲風路により、吹き出し口から内部に飛散して入った水がヒータに浸入すのを防止し、また、吹き出し口から入った水が屈曲風路の下面部に沿って奥に流れても、ヒータを屈曲風路の下面よりも上方に位置させてあることで、ヒータに水が浸入せず、この結果、吹き出し口から浸入した水によりヒータが濡れず、ヒータが水に濡れることによる電気的トラブルを防止できるものである。また、風路を横切るように出し入れ自在なフィルタを設け、装置ケースの側面部の吹き出し枠取付け用開口に、吹き出し口に設けた吹き出し枠を取付け、吹き出し枠の外面を装置ケースの吹き出し枠取付け用開口の外面と面一とし、吹き出し枠の下部にフィルタを引出自在とするフィルタ引出用開口部を設け、フィルタ引出用開口部から挿入したフィルタが風路を横切るように差し込まれた状態でフィルタの端部に設けた取り出し用突起の外端面が吹き出し枠の外面と面一となり、且つ、取り出し用突起の周部の一部に指掛け用凹所を形成してあるので、フィルタを外部に引き出すための操作部である取り出し用突起の外端面が、装置ケースの外面と面一となった吹き出し枠の外面と面一となり、これにより外観が良くなるとともに取り出し用突起が外部に吐出せずに他の物が当たって取り出し用突起を破損するというおそれがないく、また、取り出し用突起の外端面を吹き出し枠の外面と面一としたにもかかわらず、取り出し用突起の周部の一部に指掛け用凹所を形成してあるので、指掛け用凹所に指を引っ掛けて引くことで簡単にフィルタを引き出すことができるものであり、また、吹き出し枠にフィルタ引出用開口部を設けてあるので、装置ケースに別途フィルタを出し入れ自在とするための開口部を設ける必要がなくて外観が向上するものである。
【００２８】
また、請求項２記載の発明にあっては、上記請求項１記載の発明の効果に加えて、装置ケースの下面に上向き凹部を形成し、該上向き凹部の一部に吸い込み口を設け、便器に設けた収納空所部にトラップ部を配置したケース本体を内装し、該上向き凹部の下方開口を収納空所部の上方の開口部に連通させ、且つ、上向き凹部の側方開口を外部に連通させることが好ましい。このような構成とすることで、ケース本体を内装している収納空所部内の空気が開口部、上向き凹部の下方開口から上向き凹部内に流れるとともに、側方開口から外部の空気が上向き凹部内に流れ、更に、吸い込み口から風路内に流れ、ヒータにより加温され、暖かい空気として吹き出し口から外に吹き出してトイレ内を暖房するのであり、仮に、使用者が誤って側方開口を塞いだとしても、ケース本体を内装している収納空所部内の空気を吸い込んで加温できるので、温風の発生に当たって十分な空気量を確保できるものであり、また、下方開口と側方開口の両方から空気を吸い込むので、側方開口のみを設ける場合に比べて側方開口の大きさを小さくできるとともに、側方開口は便器の上面と装置ケースの下面との間に細長く形成されるので、外部から目立ちにくくて外観が良くなるものである。
【図面の簡単な説明】
【図１】本発明の斜視図である。
【図２】同上の断面図である。
【図３】同上の洗浄動作を示し、トラップ部の後端が上を向いている状態で給水している状態の断面図である。
【図４】同上の洗浄動作を示し、トラップ部の後端を下向きにして汚物、汚水を排出している状態の断面図である。
【図５】同上の装置ケースの側面図である。
【図６】同上の装置ケースの平面図である。
【図７】同上の装置ケースの背面図である。
【図８】同上のケース底板の平面図である。
【図９】同上のケース底板の側面図である。
【図１０】同上のケース底板の正面図である。
【図１１】同上のケース本体に温風発生装置を取付けた状態の側面図である。
【図１２】同上の温風発生装置の風路を示す断面図である。
【図１３】同上の上向き凹部における空気の吸い込みの際の流れを示す下面から見た説明図である。
【図１４】同上の上向き凹部における空気の吸い込みの際の流れを示す側面から見た説明図である。
【図１５】同上のフィルタの取付けを示す拡大断面図である。
【図１６】同上のヒータ収納部の下面のレベルと屈曲風路の下面のレベルとの関係を示す説明のための端面図である。
【符号の説明】
１  便器
３  装置ケース
５０  吸い込み口
５１  吹き出し口
５２  風路
５２ａ  屈曲風路
５３  ヒータ
５４  フィルタ
５５  吹き出し枠取付け用開口
５６  吹き出し枠
５７  フィルタ引出用開口部
５８  取り出し用突起
５９  指掛け用凹所
【図１】
0003589069.tif 000002
【図２】
0003589069.tif 000003
【図３】
0003589069.tif 000004
【図４】
0003589069.tif 000005
【図５】
0003589069.tif 000006
【図６】
0003589069.tif 000007
【図７】
0003589069.tif 000008
【図８】
0003589069.tif 000009
【図９】
0003589069.tif 000010
【図１０】
0003589069.tif 000011
【図１１】
0003589069.tif 000012
【図１２】
0003589069.tif 000013
【図１３】
0003589069.tif 000014
【図１４】
0003589069.tif 000015
【図１５】
0003589069.tif 000016
【図１６】
0003589069.tif 000017